(57)【要約】【課題】  複数の入力端を同時に遮断するように作動制御を行うことができるとともに、一層確かな過熱遮断や温度調節ができる温度調節装置を提供する。【解決手段】  本発明による温度調節装置は、ハウジングと、前記ハウジングに設置される第１及び第２のスイッチング部と、前記ハウジングに設置されて前記第１及び第２のスイッチング部を所定温度で電気的に断絶するバイメタルと、前記ハウジング上・下部の開放された端部を覆う上・下部キャップと、を含むことを特徴とする。【選択図】  図２
2010251308.tif 000002
【特許請求の範囲】
【請求項１】
ハウジングと、
前記ハウジングに設置される第１及び第２のスイッチング部と、
前記ハウジングに設置されて前記第１及び第２のスイッチング部を所定温度で電気的に断絶させるバイメタルと、
前記ハウジングの上・下部の開放された端部を覆う上・下部キャップと、を含むこと
を特徴とする温度調節装置。
【請求項２】
前記第１及び第２のスイッチング部は、前記ハウジングに設置される第１及び第２の導電ピンと、
前記第１及び第２の導電ピンに結合されて前記ハウジングの外部に突出される第１及び第２の連結端と、
前記第１の導電ピンに結合される固定プレートと、
前記第２の導電ピンに結合される可動プレートと、
前記バイメタルの移動によって前記可動プレートを押す押圧ピンと、で構成されること
を特徴とする請求項１に記載の温度調節装置。
【請求項３】
前記固定プレートには第１及び第２の固定接点が形成され、前記可動プレートには前記第１及び第２の固定接点に対応する第１及び第２の可動接点が形成されること
を特徴とする請求項２に記載の温度調節装置。
【請求項４】
前記第１及び第２の可動接点の間には切開部が形成されること
を特徴とする請求項３に記載の温度調節装置。
【請求項５】
前記バイメタルは楕円形で形成され、所定温度で湾曲方向が反転すること
を特徴とする請求項１〜４のいずれか１項に記載の温度調節装置。
【請求項６】
前記ハウジングには隔壁が形成されること
を特徴とする請求項１に記載の温度調節装置。
【請求項７】
ハウジングと、
前記ハウジングに設置される 第１及び第２のスイッチング部と、
前記ハウジングに設置されて 第１及び第２のスイッチング部を所定温度で電気的に断絶させるバイメタルと、
前記第１のスイッチング部と第２のスイッチング部を直列で連結する固定端子と、
前記ハウジングの上・下部の開放された端部を覆う上・下部キャップと、を含むこと
を特徴とする温度調節装置。
【請求項８】
前記第２のスイッチング部は、前記ハウジングの外部に突出される第１の連結端と、
前記第１の連結端と固定端子に各々結合される第１及び第２の導電ピンと、
前記第１の導電ピンに結合される固定プレートと、
前記第２の導電ピンに結合される可動プレートと、
前記バイメタルの移動によって前記可動プレートを押す押圧ピンと、で構成されること
を特徴とする請求項７に記載の温度調節装置。
【請求項９】
ハウジングと、
前記ハウジングに設置される第１のスイッチング部と、
前記ハウジングに設置されて前記第１のスイッチング部を所定温度で電気的に断絶させるバイメタルと、
前記ハウジングに設置される第２のスイッチング部と、
前記第１のスイッチング部と第２のスイッチング部を直列で連結する固定端子と、
前記ハウジングの上・下部の開放された端部を覆う上・下部キャップと、を含むこと
を特徴とする温度調節装置。
【請求項１０】
前記第２のスイッチング部の動作点は、第１のスイッチング部の動作点より高く設定されること
を特徴とする請求項９に記載の温度調節装置。
【請求項１１】
前記第２のスイッチング部は、前記ハウジングの外部に突出される第２の連結端と、
前記第２の連結端と固定端子に各々結合される第１及び第２の導電ピンと、
前記第１の導電ピンと第２の導電ピンの間に結合される遮断部材と、で構成されること
を特徴とする請求項１０に記載の温度調節装置。
【請求項１２】
前記遮断部材の動作点は、バイメタルの動作点より高く設定されること
を特徴とする請求項１１に記載の温度調節装置。
【請求項１３】
前記遮断部材は、温度ヒューズで構成されること
を特徴とする請求項１２に記載の温度調節装置。
【請求項１４】
前記遮断部材は、過熱遮断機で構成されること
を特徴とする請求項１２に記載の温度調節装置。
【請求項１５】
前記過熱遮断機は、前記第１及び第２の導電ピンの中で一つに連結されて可動接点が形成される第１のプレートと、
前記第１及び第２の導電ピンの中で前記第１のプレートと連結されない他の一つに連結されて固定接点が形成される第２のプレートと、
前記第１のプレートに取り付けれて所定温度で反転して可動接点と固定接点の電気的連結を解除するバイメタルと、で構成されること
を特徴とする請求項１４に記載の温度調節装置。
【請求項１６】
前記第１のスイッチング部は、前記ハウジングの外部に突出される第１の連結端と、
前記第１の連結端と固定端子に各々結合される第１及び第２の導電ピンと、
前記第１の導電ピンに結合される固定プレートと、
前記第２の導電ピンに結合される可動プレートと、
前記バイメタルの移動によって前記可動プレートを押す押圧ピンと、で構成されること
を特徴とする請求項７〜１５のいずれか１項に記載の温度調節装置。
【請求項１７】
前記固定プレートには第１及び第２の固定接点が形成され、前記可動プレートには前記第１及び第２の固定接点に対応する第１及び第２の可動接点が形成されること
を特徴とする請求項１６に記載の温度調節装置。
【請求項１８】
前記第１及び第２の可動接点の間には切開部が形成されること
を特徴とする請求項１７に記載の温度調節装置。
【請求項１９】
前記第１及び第２のスイッチング部は、ハウジングの同一平面上に設置されること
を特徴とする請求項７〜１５のいずれか１項に記載の温度調節装置。
【請求項２０】
前記ハウジングには隔壁が形成されること
を特徴とする請求項７〜１５のいずれか１項に記載の温度調節装置。
【発明の詳細な説明】
【技術分野】
【０００１】
本発明は、温度調節装置に関し、より詳しくは、複数の入力端を同時に遮断するように作動制御を行うことができるとともに、一層確かな過熱遮断や温度調節ができる温度調節装置に関する。
【背景技術】
【０００２】
一般的に、電気を動力源で使用する電気機器が正常的に作動する際には、設定された範囲内の電流が供給または設定された温度範囲内で作動して安全であるが、電気機器の異常により過電流が供給される場合、または過熱状態になる場合には、電気機器の破損は勿論、過熱による火事の発生危険がある。
【０００３】
図１は、従来技術による温度調節装置を示した断面図である。従来、このような問題点を解消するために、図１に示したように、温度調節装置１０は、一面に固定接点２が形成されて一側に第１の連結端３が形成された導電板１と、前記導電板１に形成された前記固定接点２に接触される可動接点８が一端部に形成されたバイメタル６と、導電性素材のカン構造からなって前記バイメタル６の他端部がその内側面の一に固定され、一側に第２の連結端５が形成されたカン４と、前記導電板１の下部面に取り付けられる第１の絶縁板１２と、前記カン４と前記導電板１との間の接触部分に取り付けれて前記カン４と前記導電板１とを電気的に絶縁させる第２の絶縁板１３と、前記第１の絶縁板１２の下部面に取り付けられるベース１１と、前記バイメタル６に向かって前記カン４から突出形成されて前記バイメタル６の中間部を予め設定された変位ほど加圧する調整部１７と、で構成される。
【０００４】
しかしながら、従来の温度調節装置１０は、接点が各々一個ずつであるので、固定接点２または可動接点８の表面に異物が付着すると通電不良が生ずることがあり、長期間使用するとき固定接点２及び可動接点８の表面に炭素が沈積されて接触不良が発生する問題点があった。
【０００５】
また、固定接点２と可動接点８との間で発生する衝撃及び金属疲労の累積により接点が変形されて接触不良が発生する問題点があった。
【０００６】
また、従来の温度調節装置によれば、電子製品はその種類によって、温度により作動が制御される器具部品を一つ以上有するようになり、これによって、電子製品の回路構成時に器具部品ごとにその入力端に作動制御のための温度調節装置を各々別に設置しなければならない。特に、保温用電熱器は安全のために２個以上の温度調節装置を適用することが望ましい。
【０００７】
したがって、温度調節装置の数が増加して製作コストが上昇し、回路が比較的複雑になる短所があった。
【０００８】
また、従来の温度調節装置１０は、スイッチング部(固定接点２、可動接点８)が一つであるため、温度調節装置１０の内部の接点２、８の融着が発生してバイメタル６が動作しても接点が開かれない現状が発生するか、バイメタル６自体の金属疲労の累積により動作点が変わるか、またはその他の内外部の不適合な事項が発生して本来の過熱遮断動作を行うことができない場合がたびたび発生し、このような現状は電気機器の破損だけではなく、過熱による火事につながるようになる。
【０００９】
すなわち、従来の温度調節装置には、複数の過熱(過電流)を遮断する構成が開示されていないので、故障または異常動作が発生すれば過熱(過電流)を遮断する本然の機能を完全に喪失するようになる。
【００１０】
したがって、使用者は複数の二重遮断装置の必要によって別の構成で回路と部品などを構成しなければならない状況であった。
【００１１】
また、従来の二重遮断装置はその構造と工程が複雑であるので、不適合な事項の発生可能性が高くなって信頼性が落ち、生産性も低下される問題点があった。
【発明の概要】
【発明が解決しようとする課題】
【００１２】
したがって、本発明は上述したような従来技術の問題点を解決するためになされたもので、その目的は、複数の入力端を同時に遮断するように作動制御を行うことができる温度調節装置を提供することにある。
【００１３】
本発明の他の目的は、固定接点及び可動接点の個数を２個で形成して、一つの接点で通電不良が発生しも他の一つの接点を介して過電流が遮断される温度調節装置を提供することにある。
【００１４】
本発明のまた他の目的は、過熱遮断を２回にわたって遮断して電気機器の破損及び過熱による火事発生を防止する温度調節装置を提供することにある。
【００１５】
本発明のまた他の目的は、一層安全な通電の流れと遮断を保証する温度調節装置を提供することにある。
【課題を解決するための手段】
【００１６】
前記目的を達成するために、本発明の第１の実施形態による温度調節装置は、ハウジングと、前記ハウジングに設置される第１及び第２のスイッチング部と、前記ハウジングに設置されて前記第１及び第２のスイッチング部を所定温度で電気的に断絶させるバイメタルと、前記ハウジングの上・下部の開放された端部を覆う上・下部キャップと、を含むことを特徴とする。
【００１７】
また、好ましくは、前記第１及び第２のスイッチング部は、前記ハウジングに設置される第１及び第２の導電ピンと、前記第１及び第２の導電ピンに結合されて前記ハウジングの外部に突出される第１及び第２の連結端と、前記第１の導電ピンに結合される固定プレートと、前記第２の導電ピンに結合される可動プレートと、前記バイメタルの移動によって前記可動プレートを押す押圧ピンと、で構成される。
【００１８】
また、好ましくは、前記固定プレートには第１及び第２の固定接点が形成され、前記可動プレートには前記第１及び第２の固定接点に対応する第１及び第２の可動接点が形成される。
【００１９】
また、好ましくは、前記第１及び第２の可動接点の間には切開部が形成される。
【００２０】
また、好ましくは、前記バイメタルは楕円形で形成され、所定温度で湾曲方向が反転される。
【００２１】
また、好ましくは、前記ハウジングには隔壁が形成される
【００２２】
本発明の第２の実施形態による温度調節装置は、ハウジングと、前記ハウジングに設置される第１及び第２のスイッチング部と、前記ハウジングに設置されて前記第１及び第２のスイッチング部を所定温度で電気的に断絶させるバイメタルと、前記ハウジングに設置される第２のスイッチング部と、前記第１のスイッチング部と前記第２のスイッチング部を直列連結する固定端子と、前記ハウジングの上・下部の開放された端部を覆う上・下部キャップと、を含むことを特徴とする。
【００２３】
また、好ましくは、前記第２のスイッチング部は、前記ハウジングの外部に突出される第１の連結端と、前記第１の連結端と固定端子に各々結合される第１及び第２の導電ピンと、前記第１の導電ピンに結合される固定プレートと、前記第２の導電ピンに結合される可動プレートと、前記バイメタルの移動によって前記可動プレートを押す押圧ピンと、で構成される。
【００２４】
本発明の第２の実施形態による他の温度調節装置は、ハウジングと、前記ハウジングに設置される第１のスイッチング部と、前記ハウジングに設置されて前記第１のスイッチング部を所定温度で電気的に断絶させるバイメタルと、前記ハウジングに設置される第２のスイッチング部と、前記第１のスイッチング部と前記第２のスイッチング部を直列連結する固定端子と、前記ハウジングの上・下部の開放された端部を覆う上・下部キャップと、を含むことを特徴とする。
【００２５】
また、好ましくは、前記第２のスイッチング部の動作点は、第１のスイッチング部の動作点より高く設定される。
【００２６】
また、好ましくは、前記第２のスイッチング部は、前記ハウジングの外部に突出される第２の連結端と、前記第２の連結端と固定端子に各々結合される第１及び第２の導電ピンと、前記第１の導電ピンと前記第２の導電ピンとの間に結合される遮断部材と、で構成される。
【００２７】
また、好ましくは、前記遮断部材の動作点は、バイメタルの動作点より高く設定される。
【００２８】
また、好ましくは、前記遮断部材は、温度ヒューズで構成される。
【００２９】
また、好ましくは、前記遮断部材は、過熱遮断機で構成される。
【００３０】
また、好ましくは、前記過熱遮断機は、前記第１及び第２の導電ピンの中で一つに連結されて可動接点が形成される第１のプレートと、前記第１及び第２の導電ピンの中で前記第１のプレートと連結されない他の一つに連結されて固定接点が形成される第２のプレートと、前記第１のプレートに取り付けられて所定温度で反転して可動接点と固定接点の電気的連結を解除するバイメタルと、で構成される。
【００３１】
また、好ましくは、前記第１のスイッチング部は、前記ハウジングの外部に突出される第１の連結端と、前記第１の連結端と固定端子に各々結合される第１及び第２の導電ピンと、前記第１の導電ピンに結合される固定プレートと、前記第２の導電ピンに結合される可動プレートと、前記バイメタルの移動によって前記可動プレートを押す押圧ピンと、で構成される。
【００３２】
また、好ましくは、前記固定プレートには第１及び第２の固定接点が形成され、前記可動プレートには前記第１及び第２の固定接点に対応する第１及び第２の可動接点が形成される。
【００３３】
また、好ましくは、前記第１及び第２の可動接点の間には切開部が形成される。
【００３４】
また、好ましくは、前記第１及び第２のスイッチング部はハウジングの同一平面上に設置される。
【００３５】
また、好ましくは、前記ハウジングには隔壁が形成される。
【発明の効果】
【００３６】
本発明の温度調節装置によれば、第１及び第２のスイッチング部により複数の入力端を同時に遮断するように作動制御を行うことができる効果がある。
【００３７】
すなわち、複数の器機部品の作動を制御することができる。
【００３８】
また、固定接点及び可動接点の個数を２個で形成して一つの接点で通電不良が発生しても他の一つの接点を介して過電流を遮断する効果がある。
【００３９】
また、接点が２個であるので、接点と接点が接触する時、接点が受ける衝撃が緩和されて、接点の損傷が最小化される。
【００４０】
また、第１及び第２のスイッチング部により過熱遮断を２回にわたって遮断して電気機器の破損及び過熱による火事発生を防止する効果がある。
【００４１】
すなわち、一層安全な電流通電の流れと遮断を保証するようになる。
【００４２】
また、第２のスイッチング部の動作点を第１のスイッチングの動作点より高く設定して、１次過熱遮断が失敗した場合にも多少高い温度で２次過熱遮断を行う効果がある。
【００４３】
すなわち、遮断部材の動作点をバイメタルの動作点より高く設定することにより２次遮断が具現される。
【図面の簡単な説明】
【００４４】
【図１】従来技術による温度調節装置を示した断面図である。
【図２】本発明の第１の実施形態による温度調節装置を示した斜視図である。
【図３】図２のa′−a′線に沿って切断した断面図である。
【図４】図２のb′−b′線に沿って切断した断面図である。
【図５Ａ】図２の固定プレート及び可動プレートを示した平面図である。
【図５Ｂ】図２の固定プレート及び可動プレートを示した平面図である。
【図６】本発明の第２の実施形態による温度調節装置を示した底面斜視図である。
【図７】本発明の第２の実施形態による温度調節装置を示した斜視図である。
【図８】図７のa′−a′線に沿って切断した断面図である。
【図９】図７の一実施形の態による b′−b′線に沿って切断した断面図である。
【図１０】図７の他の実施の形態による b′−b′線に沿って切断した断面図である。
【図１１Ａ】図７の固定プレート及び可動プレートを示した平面図である。
【図１１Ｂ】図７の固定プレート及び可動プレートを示した平面図である。
【図１２】本発明の他の実施形態による温度調節装置を示した分解斜視図である。
【発明を実施するための最良の形態】
【００４５】
以下、添付図面を参照して本発明の望ましい実施の形態について詳細に説明する。
(第１の実施の形態)
図２は、本発明の第１の実施形態による温度調節装置を示した斜視図、図３は、図２の a′−a′線に沿って切断した断面図、図４は、図２の b′−b′線に沿って切断した断面図、図５(Ａ)及び図５(Ｂ)は、図２の固定プレート及び可動プレートを示した平面図である。
【００４６】
図２〜図５に示したように、本発明の第１の実施形態による温度調節装置Ａは、ハウジング１００と、前記ハウジング１００に設置される第１及び第２のスイッチング部２００、３００と、前記ハウジング１００に設置されて前記第１及び第２のスイッチング部２００、３００を所定温度で電気的に断絶させるバイメタル４００と、前記ハウジング１００の上・下部の開放された端部を覆う上・下部キャップ５００、６００と、を含む。
【００４７】
また、前記ハウジング１００は、上部体１１０と下部体１２０に分けられ、前記上部体１１０と下部体１２０には上述の第１及び第２のスイッチング部２００、３００、バイメタル４００及び上・下部キャップ５００、６００が設置される。
【００４８】
また、前記第１のスイッチング部２００は、前記ハウジング１００に設置される第１及び第２の導電ピン２１０ａ、２１０ｂと、前記第１及び第２の導電ピン２１０ａ、２１０ｂに結合されて前記ハウジング１００の外部に突出される第１及び第２の連結端２２０ａ、２２０ｂと、前記第１の導電ピン２１０ａに結合される固定プレート２３０ａと、前記第２の導電ピン２１０ｂに結合される可動プレート２３０ｂと、前記バイメタル４００の上下移動によって前記可動プレート２３０ｂを押す押圧ピン２４０と、で構成される。
【００４９】
そして、前記固定プレート２３０ａには、第１及び第２の固定接点２３１ａ、２３２ａが形成され、前記可動プレート２３０ｂには、前記第１及び第２の固定接点２３１ａ、２３２ａに対応する第１及び第２の可動接点２３１ｂ、２３２ｂが形成される。
【００５０】
一方、前記第１及び第２の可動接点２３１ｂ、２３２ｂの間には切開部２３３ｂを形成して、可動接点と固定接点が接触する時、接触抵抗により発生する熱を最大限ハウジング１００の内部空間に放熱させる。なお、前記切開部２３３ｂにより前記第１及び第２の可動接点２３１ｂ、２３２ｂが個別的に動作できるようになる。
【００５１】
また、前記第２のスイッチング部３００は、前記ハウジング１００に設置される第１及び第２の導電ピン３１０ａ、３１０ｂと、前記第１及び第２の導電ピン３１０ａ、３１０ｂに結合されて前記ハウジング１００の外部に突出される第１及び第２の連結端３２０ａ、３２０ｂと、前記第１の導電ピン３１０ａに結合される固定プレート３３０ａと、前記第２の導電ピン３１０ｂに結合される可動プレート３３０ｂと、前記バイメタル４００の上下移動によって前記可動プレート３３０ｂを押す押圧ピン３４０と、で構成される。
【００５２】
また、前記固定プレート３３０ａには第１及び第２の固定接点３３１ａ、３３２ａが形成され、前記可動プレート３３０ｂには前記第１及び第２の固定接点３３１ａ、３３２ａに対応する第１及び第２の可動接点３３１ｂ、３３２ｂが形成される。
【００５３】
一方、前記第１及び第２の可動接点３３１ｂ、３３２ｂの間には切開部３３３ｂを形成して、可動接点と固定接点が接触される時接触抵抗により発生する熱を最大限ハウジング１００の内部空間に放熱させる。なお、前記切開部３３３ｂにより前記第１及び第２の可動接点３３１ｂ、３３２ｂが個別的に動作できるようになる。
【００５４】
また、前記バイメタル４００は楕円形で形成され、所定温度で湾曲方向が反転されるように形成される。なお、前記バイメタル４００の反転により前記第１及び第２のスイッチング部２００、３００の押圧ピン２４０、３４０を同時に押すようになる。
【００５５】
したがって、所定温度で反転されるバイメタル４００により第１及び第２のスイッチング部２００、３００を同時にオン/オフすることができるようになる。
【００５６】
すなわち、本発明の第１の実施形態による温度調節装置Ａにより複数の入力端の作動制御を行うことができる。
【００５７】
一方、前記ハウジング１００には、第１のスイッチング部２００の第１及び第２の連結端２２０ａ、２２０ｂと、第２のスイッチング部３００の第１及び第２の連結端３２０ａ、３２０ｂとを分離して短絡を防止するための隔壁１０１が形成される。
【００５８】
(第２の実施の形態)
図６は、本発明の第２の実施形態による温度調節装置を示した底面斜視図、図７は、本発明の第２の実施形態による温度調節装置を示した斜視図、図８は、図７のa′−a′線に沿って切断した断面図 、図９は、図７の一実施形態によるb′−b′線に沿って切断した断面図、図１０は、図７の他の実施の形態によるb′−b′線に沿って切断した断面図、図１１(Ａ)及び図１１(Ｂ)は、図７の固定プレート及び可動プレートを示した平面図、図１２は、本発明の他の実施の形態による温度調節装置を示した分解斜視図である。
【００５９】
図６〜図１１に示したように、本発明の第２の実施形態による温度調節装置Ａは、ハウジング１００と、前記ハウジング１００に設置される第１のスイッチング部２００と、前記ハウジング１００に設置されて前記第１のスイッチング部２００を所定温度で電気的に断絶させるバイメタル４００と、前記ハウジング１００に設置される第２のスイッチング部３００と、前記第１のスイッチング部２００と第２のスイッチング部３００を直列で連結するように前記ハウジング１００に設置される固定端子２０１と、前記ハウジング１００の上・下部の開放された端部を覆う上・下部キャップ５００、６００と、を含む。
【００６０】
また、前記ハウジング１００は上部体１１０と下部体１２０に分けられ、前記上部体１１０と前記下部体１２０の間には上述の第１及び第２のスイッチング部２００、３００、バイメタル４００及び上・下部キャップ５００、６００が設置される。
【００６１】
そして、前記第１及び第２のスイッチング部２００、３００は、前記ハウジング１００の同一平面上に設置される。
【００６２】
なお、前記第２のスイッチング部３００の動作点は、第１のスイッチング部２００の動作点より高く設定される。すなわち、前記第１のスイッチング部２００で過熱遮断に失敗した場合、多少高い温度で第２のスイッチング部３００が２次過熱遮断を試みる。これによって、電流通電の一層安全な流れ及び遮断を保証するようになる。これに関する詳細な説明は後述する。
【００６３】
また、前記第１のスイッチング部２００は、前記ハウジング１００の外部に突出される第１の連結端２２０ａと、前記第１の連結端２２０ａと固定端子２０１に各々結合される第１及び第２の導電ピン２１０ａ、２１０ｂと、前記第１の導電ピン２１０ａに結合される固定プレート２３０ａと、前記第２の導電ピン２１０ｂに結合される可動プレート２３０ｂと、前記バイメタル４００の移動によって前記可動プレート２３０ｂを押す押圧ピン２４０と、で構成される。
【００６４】
そして、前記固定プレート２３０ａには第１及び第２の固定接点２３１ａ、２３２ａが形成され、前記可動プレート２３０ｂには前記第１及び第２の固定接点２３１ａ、２３２ａに対応する第１及び第２の可動接点２３１ｂ、２３２ｂが形成される。
【００６５】
一方、前記第１及び第２の可動接点２３１ｂ、２３２ｂの間には切開部２３３ｂが形成されて、可動接点と固定接点が接触する時接触抵抗により発生する熱を最大限ハウジング１００の内部空間に放熱させる。なお、前記切開部２３３ｂにより前記第１及び第２の可動接点２３１ｂ、２３２ｂが個別的に動作できるようになる。
【００６６】
また、前記可動プレート２３０ｂには補強リブ２３４ｂが形成されて衝撃及び金属疲労の累積による可動プレート２３０ｂの変形を防止する。
【００６７】
また、前記バイメタル４００は楕円形で形成され、所定温度で湾曲方向が反転するように形成される。なお、前記バイメタル４００の反転により前記第１のスイッチング部２００の押圧ピン２４０を押すようになる。
【００６８】
これによって、所定温度で反転されるバイメタル４００により第１のスイッチング部２００をオン/オフすることができるようになる。
【００６９】
一方、前記第１のスイッチング部２００及びバイメタル４００の異常動作で過熱(過電流)の遮断が不可能になれば、電気機器の破損だけではなく、過熱による火事発生の恐れがある。これを防止するために第２のスイッチング部３００が提案された。
【００７０】
前記第２のスイッチング部３００は、前記ハウジング１００の外部に突出される第２の連結端３２０ａと、前記第２の連結端３２０ａと固定端子２０１に各々結合される第１及び第２の導電ピン３１０ａ、３１０ｂと、前記第１の導電ピン３１０ａと第２の導電ピン３１０ｂとの間に結合される遮断部材３３０と、で構成される。
【００７１】
前記遮断部材３３０の動作点はバイメタル４００の動作点より高く設定される。これによって、前記バイメタル４００で１次過熱遮断に失敗した場合、多少高い温度で遮断部材３３０が２次過熱の遮断を行って安全性を高めるようになる。
【００７２】
また、前記遮断部材３３０は、図９に示すように、温度ヒューズで構成される。前記温度ヒューズは所定温度(バイメタル４００の動作点より高い温度)で断絶されて電流を完全遮断する。このような温度ヒューズは公知技術なのでその詳細な説明は省略する。
【００７３】
また、前記遮断部材３３０′は、図１０に示すように、過熱遮断機で構成してもよい。前記過熱遮断機は、前記第１及び第２の導電ピン３１０ａ、３１０ｂの中一つに連結されて可動接点３３１ａ′が形成される第１のプレート３３１′と、前記第１及び第２の導電ピン３１０ａ、３１０ｂの中で前記１のプレート３３１′と連結されない他の一つに連結されて固定接点３３２ａ′が形成される第２のプレート３３２′と、前記第１のプレート３３１′に取り付けられて所定温度で反転して可動接点３３１ａ′と固定接点３３２ａ′の電気的連結を解除するバイメタル３３３′と、で構成される。
【００７４】
すなわち、過熱遮断機によれば、所定温度(バイメタル４００の動作点より高い温度)で反転するバイメタル３３３′により第２のスイッチング部３００の電流を遮断する。
【００７５】
なお、過熱遮断機は、所定温度で電流を遮断した後、過熱(過電流)が安定されて温度が下降すると、電流を通電するように接地することが望ましい。
【００７６】
一方、上述の過熱遮断機の以外にも多様な形態の過熱遮断機を適用してもよい。
【００７７】
したがって、直列で連結された第１及び第２のスイッチング部２００、３００により過熱遮断を２回にわたって実行するので安全性が向上される。
【００７８】
一方、前記ハウジング１００には、第１のスイッチング部２００の第１の連結端２２０ａと第２のスイッチング部３００の第２の連結端３２０ａとを分離して短絡を防止する隔壁１０２が形成される。
【００７９】
図１２に示した他の実施形態による温度調節装置Ａ′は、直列で連結された第１及び第２のスイッチング部２００′、３００′をバイメタル４００′の反転により所定温度で電気的に断絶させる構成で、前記１及び第２のスイッチング部２００′、３００′は上述の第１のスイッチング部２００と同一な構成及び動作を有するので、その詳細な説明は省略する。
【００８０】
すなわち、バイメタル４００′により同一温度で第１及び第２のスイッチング部２００′、３００′が電流を遮断する。
【００８１】
以上、 本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【００８２】
例えば、上述の説明では第２の実施形態による温度調節装置Ａの第１及び第２のスイッチング部を直列で連結したことについて説明したが、これに限定せず複数の器具部品の入力端に各々連結されて作動制御を実施するように構成することも可能である。
【符号の説明】
【００８３】
Ａ 温度調節装置
１００ ハウジング
２００ 第１のスイッチング部
３００ 第２のスイッチング部
４００ バイメタル
５００ 上部キャップ
６００ 下部キャップ
【図１】
2010251308.tif 000003
【図２】
2010251308.tif 000004
【図３】
2010251308.tif 000005
【図４】
2010251308.tif 000006
【図５Ａ】
2010251308.tif 000007
【図５Ｂ】
2010251308.tif 000008
【図６】
2010251308.tif 000009
【図７】
2010251308.tif 000010
【図８】
2010251308.tif 000011
【図９】
2010251308.tif 000012
【図１０】
2010251308.tif 000013
【図１１Ａ】
2010251308.tif 000014
【図１１Ｂ】
2010251308.tif 000015
【図１２】
2010251308.tif 000016